(57)【要約】【課題】    レコード盤からアナログ信号をピックアップするピックアップの位置、ピックアップの方向及び速さに対応させてディジタルデータで記録されて再生した音声信号を出力させるディジタルディジタルオーディオ再生システムにおいて、レコード盤の演奏時間を超えた時間範囲に位置する再生した音声信号をレコード盤からのアナログ信号に対応付けて出力させることを目的とする。【解決手段】  レコード盤２からのアナログ信号とＣＤに記録されているディジタルデータをシリアルなタイムデータによって互いに対応付けて出力させ、且つ、レコード盤２からのアナログ信号の演奏の位置に対してＣＤからの音声信号の出力の位置と異なる位置を頭出しの位置として音声信号を出力させる際にＣＤからの音声信号の異なる出力の位置以降からタイムデータがアナログ信号の演奏の位置に対応付くことを可能にする頭出し設定手段２８を備えて構成した。【選択図】      図１                            
2005174439.tif 000002
【特許請求の範囲】
【請求項１】
レコードプレーヤ装置の再生演奏でピックアップされると、そのピックアップされている部位の位置、回転の方向及び回転の速さを示すシリアルにタイムデータ化された情報がアナログ信号で生成されるレコード盤と、シリアルにタイムデータ化されたディジタル式の音声信号を記録媒体から再生しその再生した音声信号を、前記シリアルなタイムデータに対応させて前記レコード盤からのアナログ信号に基づき出力し得るディジタル信号再生手段が備えられ、  
上記レコード盤からのアナログ信号の演奏の位置に対して記録媒体からの音声信号の出力の位置と異なる位置を頭出しの位置として音声信号の出力を設定させる場合には、その記録媒体からの音声信号の異なる出力の位置以降からタイムデータがアナログ信号の演奏の位置に対応付くように制御されて音声信号が出力される構成のディジタルオーディオ再生システム。
【請求項２】
ディジタル式の記録媒体からの音声信号の頭出しの位置を任意に設定しレコード盤からのアナログ信号に対応して前記再生手段によって再生された記録媒体からの音声信号を出力させる際に、その記録媒体からの音声信号の出力範囲を超えてレコード盤からのアナログ信号が出力される場合には、予め設定された記録媒体からの音声信号が連続してレコード盤からのアナログ信号に対応付けられる構成とした請求項１に記載のディジタルオーディオ再生システム。
【請求項３】
ディジタル式の記録媒体からの音声信号の頭出しの位置を、その時の演奏位置よりも後方の任意の位置に設定してレコード盤からのアナログ信号に対応して前記再生手段によって再生された記録媒体からの音声信号を出力させる際に、その記録媒体からの音声信号の出力範囲を超えてレコード盤からのアナログ信号が出力される場合、予め設定された記録媒体からの音声信号がその記録媒体のスタートの位置に係る音声信号である請求項２に記載のディジタルオーディオ再生システム。
【請求項４】
ディジタル式の記録媒体からの音声信号の頭出しの位置を、その時の演奏位置よりも前方の任意の位置に設定してレコード盤からのアナログ信号に対応して前記再生手段によって再生された記録媒体からの音声信号を出力させる際に、その記録媒体からの音声信号のスタートの位置を超えてレコード盤からのアナログ信号が出力される場合、レコード盤からのアナログ信号が記録媒体のスタートの位置を超えた時間分だけ記録媒体からの音声信号の末尾に対応付けられる構成の請求項２に記載のディジタルオーディオ再生システム。
【発明の詳細な説明】
【技術分野】
【０００１】
レコード盤のスクラッチ演奏、つまり、レコードプレーヤ装置のピックアップ手段がレコード盤に摺動することで音声信号をピックアップする演奏の際に、演奏者がレコード盤に対して音声信号をピックアップする任意の位置で、レコード盤に所望の回転の速さ、所望の回転の方向で演奏することでその速さや方向に対応して音声を出力させる演奏方法が知られている。
本発明は、例えばコンパクトディスク（以下、『ＣＤ』と称する。）といったディジタル信号で記録された記録媒体を再生演奏する場合に、レコード盤のスクラッチ演奏のように、ディジタルの再生された音声信号を所望の位置で、所望の回転の速さ、所望の回転の方向で出力する演奏が可能なディジタルオーディオ信号を再生するシステムに関する。
【背景技術】
【０００２】
レコード盤をレコードプレーヤ装置のターンテーブル上に載置して音声信号をピックアップする際に、ターンテーブルの回転モータの回転力に抗して演奏者がレコード盤或いはターンテーブルを手動で回転させることにより、その回転の速さ或いは回転の方向等を任意に変更することで本来のレコード演奏とは異なった音声出力を得るレコードの演奏方法、いわゆるスクラッチ演奏が知られている。
【０００３】
他方、今日では音源である記録媒体として再生データがアナログ式であるレコード盤に代ってＣＤ、ＭＤ、フラッシュメモリ等のディジタル式の記録媒体が主流になっている。  そうして、このディジタル式の記録媒体の使用に伴い、音源の一つであるレコード盤が新たにプレスされることは殆どなく、新しい曲のレコード盤のみならずレコード盤そのものの入手が困難になって来ている。
従って、記録媒体はディジタル式のものが主流になっているために、レコード盤そのもの若しくはそれが載置されるレコードプレーヤ装置のターンテーブルを操作して特別な音声を出力させるスクラッチ演奏を、ディジタル式の記録媒体に対しては行うことが強く求められている。
【０００４】
しかしながら、レコード盤とＣＤは同じ記録媒体であっても、再生つまり音声信号のピックアップの仕方につまり再生方法は、レコード盤は角速度が一定で演奏されるのに対してＣＤは線速度が一定で演奏され、本質的に大きく異なっている。
従って、演奏者がＣＤを再生する際にＣＤをレコード盤と同様の操作をすることによってスクラッチ演奏を得るということは不可能であり、結果的に、ＣＤ等のディジタル式の記録媒体の再生ではレコード盤のような操作或いは操作感覚でスクラッチ演奏を得ることができないという問題があった。
【０００５】
本願発明の発明者の一人は、斯かる問題を解決すべく鋭意工夫を行い、演奏者が操作慣れしているレコード盤を使用することで音源がディジタル式の記録媒体に対してスクラッチ演奏を行い得るディジタルオーディオ再生装置及びディジタルオーディオ再生システム並びにディジタルオーディオ再生システム用のレコード盤を想到している。
つまり、下記の文献に示す通りである。
【０００６】
【特許文献１】特開２００３−２３３９４６
【発明の開示】
【発明が解決しようとする課題】
【０００７】
同特許公開公報で開示された発明に従えば、音源としての記録媒体がアナログ式のレコード盤ではなくＣＤ等のディジタル式のものであっても、演奏者が使用に慣れ親しんだ任意のレコードプレーヤ装置のターンテーブル上でレコード盤をスクラッチ演奏の操作を行うと、その操作によってＣＤ等からのディジタル式の音声信号がスクラッチされた演奏として出力されるという効果が得られている。
つまり、レコード盤に対してスクラッチ操作を行なうと、そのスクラッチ操作に対応してＣＤからの音声信号がスクラッチされて出力される構成になっている。
他方、そのスクラッチ演奏は、演奏者にとって操作性が確保されているので、レコード盤に対するスクラッチ演奏の感覚で操作が可能になっている。
【０００８】
上記斯かる構成では、連続した信号をピックアップしている際には、その連続した範囲内でレコード盤を逆方向に回転、緩急を付けた回転をさせた場合、それに対応して演奏位置を示す信号が制御信号となってディジタルオーディオ再生装置に出力される。
よって、この制御信号に基づきディジタルオーディオ再生装置はＣＤのディジタルデータを前記逆方向に回転、緩急を付けた回転に対応させてスクラッチ演奏のようにディジタル信号を再生出力することが得られている。
【０００９】
しかしながら、同特許公開公報で開示された発明のレコード盤は周期性の演奏位置を示すための信号を生成する構成であるから、演奏中にピックアップ手段がレコード盤から飛び上がりその後音溝の周を飛び越えて針が降りるいわゆる針飛びが生じた場合であっても、レコード盤のアナログ信号のピックアップ部位とＣＤの音声データの出力すべき部位（フレーム）が対応しておらず、結果的に、ＣＤからの音声データは針の位置に対応せずに出力されるという問題があった。
【００１０】
又、針飛びが生じた際、ピックアップ手段の針部が宙に浮くが、その針部が宙に浮いている間は針部は位置を示すための信号をピックアップすることができず、その間はディジタルオーディオ再生装置に演奏すべき位置を示すための制御信号が送られないために、ディジタルオーディオ再生装置は演奏（ＣＤの再生）が停止して音声信号が出力されないという問題もあった。
【００１１】
更には、レコード盤は針部が宙に浮いている間であっても回転を続けており、針部がレコード盤に降りて再び位置を示す信号をピックアップすると、ここでピックアップされる信号は飛んで抜かした部分をキャンセルしたものになってしまうという問題もあった。
【００１２】
これらの問題に対して、アナログ式のレコード盤の演奏によって得られる信号に基づいてディジタルデータで記録された音声信号を対応付けて出力させるディジタルデータの音声信号を再生させるシステムにおいて、レコード盤の演奏時に針飛びが生じた場合であってもこの針飛びに対応してディジタルデータで記録された音声信号が再生され得るディジタルオーディオ再生システム、ディジタルオーディオ再生装置及びレコード盤の実現すべく、本願発明の発明者は創意工夫を行なって特願２００３−３９５３００号で開示した発明を完成するに到っている。
【００１３】
つまり、レコード盤の演奏によって得られるアナログ信号に基づいてディジタルデータで記録された音声信号を対応付けて再生出力させることにおいて、演奏中のレコード盤の演奏部位の位置、回転の方向、回転の速さ及び演奏開始からの時間を示すアナログ信号がピックアップされると、レコード盤の演奏位置に追従するように、ピックアップされたそのアナログ信号に対応付けて、ディジタル音声信号をＤ／Ａ変換して出力するように制御する構成としたディジタルオーディオ再生システム、ディジタルオーディオ再生装置及びレコード盤の発明を完成させている。
【００１４】
斯かる構成のレコード盤は、レコードプレーヤ装置によって演奏されるとその演奏の部位、つまりピックアップ手段が摺動している部位の位置、回転の方向及び回転の速さを示すためのアナログ信号が生成されるから、レコードプレーヤ装置において音飛びが生じるとその音飛びの後に針が降りた部位をピックアップ手段が摺動している部位としてその部位の位置、回転の方向及び回転の速さを示すためのアナログ信号をピックアップ手段の摺動によって生成する。
つまり、レコード盤に対してピックアップ手段が飛び上がって他の溝に降りるという音飛びが生じても、その現象に対応してディジタル記録媒体側から音声信号が出力されている。
【００１５】
しかしながら、斯かる構成では、ＣＤのフレームに対応付けてレコード盤に情報を記録すると、ＬＰ盤サイズのレコード盤であってもせいぜい演奏が可能な時間は２０分程度のものしか得ることができない。
他方、ディジタル式の記録媒体、例えばＣＤでは演奏可能な時間は７４分である。
従って、斯かる構成では、レコード盤をフルに演奏しても２０分でありＣＤをフルに演奏すると７４分であることにより、レコード盤をフルに演奏してもその時間内にＣＤの演奏が終了することはなく、寧ろ、ＣＤからの音声信号では演奏されていない部分の方が多く残ることになり、記録媒体として主流になっているディジタル式のものを十分に活用できないという問題が生じる。
【００１６】
つまり、アナログ式のレコード盤の演奏によって得られる信号に基づいてディジタルデータで記録された音声信号を対応付けて出力させるディジタルデータの音声信号を再生させるシステムにおいて、ディジタルデータで記録された記録媒体の再生時間（演奏時間）に比してレコード盤の演奏時間が十分に短い場合であっても、レコードプレーヤ装置に工夫を加える必要がなく、レコード盤の演奏時間に比してディジタルデータで記録された記録媒体の演奏時間が十分に長くても、演奏者の操作性や操作感覚が確保されて演奏が可能なディジタルオーディオ再生システムが求められる。
【００１７】
これに対し、レコード盤からのアナログ信号を制御信号としてディジタル式の記録媒体から再生して得た音声信号を対応付けて出力させるディジタルオーディオ再生システムにおいて、ディジタルデータで記録された記録媒体の任意に選択した再生位置を頭出しの位置としてレコード盤からの信号に相対的に対応付けて出力させる構成のディジタルオーディオ再生システムが考えられる。
【００１８】
しかしながら、特願２００３−３９５３００号で開示した発明は、レコード盤からのアナログ信号もディジタル式の記録媒体から出力される音声信号はシリアルにタイムデータ化されており、それらタイムデータ化されたデータを互いに対応付けて行くことを前提として完成された発明であるので、レコード盤の０分から２０分までのアナログ信号は記録媒体の２１分以降の信号とはタイムデータとしてオーバーラップすることがないので、対応付けてレコード盤によって記録媒体の出力を制御できないという問題が生じて来る。
【００１９】
本発明は上述した問題点に鑑みてなされたものであって、レコード盤からのアナログ信号に基づいてディジタル式の記録媒体からの再生音声信号を対応付けて出力させるディジタルオーディオ再生システムにおいて、ディジタルデータで記録された記録媒体の再生時間（演奏時間）に比してレコード盤の演奏時間が十分に短い場合であっても、レコード盤からのアナログ信号をディジタル式の記録媒体からの再生音声信号を対応付けて演奏を可能とするディジタルオーディオ再生システムを提供するものである。
【課題を解決するための手段】
【００２０】
この発明は、レコードプレーヤ装置の再生演奏でピックアップされると、そのピックアップされている部位の位置、回転の方向及び回転の速さを示すシリアルにタイムデータ化された情報がアナログ信号で生成されるレコード盤と、シリアルにタイムデータ化されたディジタル式の音声信号を記録媒体から再生しその再生した音声信号を、前記シリアルなタイムデータに対応させて前記レコード盤からのアナログ信号に基づき出力し得るディジタル信号再生手段が備えられ、前記レコード盤からのアナログ信号の演奏の位置に対して記録媒体からの音声信号の出力の位置と異なる位置を頭出しの位置として音声信号の出力を設定させる場合には、その記録媒体からの音声信号の異なる出力の位置以降からタイムデータがアナログ信号の演奏の位置に対応付くように制御されて音声信号が出力される構成のディジタルオーディオ再生システムである。
【００２１】
つまり、本来はレコード盤からのアナログ信号である制御信号と記録媒体からの音声信号はデータが時間的に一義的な対応付けがなされるが、記録媒体からの音声信号の頭出し位置を任意に設定すると、レコード盤からのアナログ信号である制御信号はその頭出しの位置以降に対応付く構成である。
よって、新たな頭出しの時間位置がレコード盤の演奏可能な時間範囲を超えた記録媒体の所望の位置を出力位置に設定すると、その位置がレコード盤からのアナログ信号のタイムデータと対応付いて制御可能となるディジタルオーディオ再生システムである。
【発明の効果】
【００２２】
この発明は、レコード盤からのタイムデータ化されたアナログ信号に基づきタイムデータ化されて記録されたディジタル式の記録媒体から再生した音声信号を対応付けて出力させ、更に、前記レコード盤からのアナログ信号の演奏の位置に対して記録媒体からの音声信号の出力の位置を異なる位置として音声信号を出力させる際にその記録媒体からの音声信号の異なる出力の位置以降からタイムデータがアナログ信号の演奏の位置に対応付くように制御されて音声信号が出力される構成としたことにより、レコード盤の演奏可能な時間位置を超えた記録媒体の位置の音声信号をレコード盤からのアナログ信号に対応させて出力させることが可能なディジタルオーディオ再生システムである。
【発明を実施するための最良の形態】
【００２３】
以下において図面に基づき、本発明の実施の形態例を詳細に説明する。しかし、この形態例によって本発明が限定されるものではない。
ディジタルオーディオ再生システムであるオーディオ装置１は、レコード盤２と、レコードプレーヤ装置３及びディジタルオーディオ再生手段５を備えて構成されている。
【００２４】
レコード盤２は、レコードプレーヤ装置３に載置され回転されてピックアップ手段６と相対的に摺動することによって演奏されると（図１及び図２を参照）、その演奏でピックアップされる部位の位置、回転の方向及び回転の速さを示すためのアナログ信号が二つのチャンネルで生成するように音溝が形成されているものである。
【００２５】
つまり、レコード盤２には、回転されて演奏する際にその演奏の時間的な位置、方向及び演奏の速さを検出が可能となるように、信号加工することによって結果的に左チャンネルと右チャンネルとで異なる位相のパルス状の信号が得られるための信号が記録されている（図３を参照）。
【００２６】
又、レコード盤２がレコードプレーヤ装置３を用いて再生演奏することで生成されるアナログ信号は、ディジタル式の記録媒体であるＣＤにはそれに記録されているディジタル信号が再生される際にその位置を時間によって示すためのタイムデータが記録されているが、レコード盤２にはＣＤ側のタイムデータと対応するタイムデータが対応付けられて記録されている（音溝のカット）。
【００２７】
タイムデータの構成についての詳細は、レコード盤２の上記音溝によって生成されるアナログ信号の二つのチャンネルのうちいずれか一方に、ＣＤのディジタル音声信号の最小再生単位に対応させた時間的な長さにフレーム化され、ピックアップされる部位の位置を示す位置情報が配設され、且つ、その位置情報を示す信号が少なくとも再生されて波形成形された際に、各フレームに対応するデータにおいて真中を中心に折り返すと実質的に合致して重なり合うように構成されている。
【００２８】
ここで、少なくとも再生されて波形成形された際に、各フレームに対応するデータにおいて真中を中心に折り返すと実質的に合致して重なり合う構成とは、レコード盤２をカットすることによって音溝を形成するが、得られる音溝の形状はカットの精度上必ずしも真中を中心に折り返すと合致して重なり合うように簡単に形成できるものではない。
そこで、レコード盤２からのアナログ信号が波形加工されて得られる矩形は、設定した比較レベル以上であるか否かによってそれぞれ１か０に二別する。
【００２９】
レコードプレーヤ装置３は、オーディオ装置１の上部に配設されている。
レコードプレーヤ装置３は、レコード盤２を載置して回転させるためのターンテーブル７と、ピックアップ手段６がレコード盤２と相対的に摺動して信号をピックアップするように保持するためのアーム８が備えられている。
尚、レコードプレーヤ装置３は通常の構成のレコード用のプレーヤ装置であって、通常のアナログレコードの演奏が可能になっている。
又、レコードプレーヤ装置３の天板に、操作パネル９が配設されている。
【００３０】
ディジタルオーディオ再生手段５は、アンプ１０と、検出手段４と、ＣＤ再生手段１８と、ＲＦアンプ１９と、デコーダ２０と、ディジタルシグナルプロセッサ（以下、ＤＳＰ２１と称する。）２１と、メモリ２２と、Ｄ−Ａ変換器２３及び出力端子２６が備えられている。
【００３１】
検出手段４は、レコードプレーヤ装置３がレコード盤２を演奏してピックアップ手段６がアナログ信号を出力すると、その信号を入力してピックアップ手段６がレコード盤２からアナログ信号をピックアップした部位の位置、演奏の方向及び演奏の速さを検出するためのものである。
検出手段４は、アンプ１０と、方向検出部１１と、移動量検出部１２と、速さ検出部１３、タイムコード検出部１４及びＣＰＵ１５を備えて構成されている。
【００３２】
アンプ１０は、ピックアップ６と検出手段４の間に介在され、ピックアップ手段６がレコード盤２からピックアップしたアナログ信号を、後述する方向検出部１１と、移動量検出部１２と、速さ検出部１３及びタイムコード検出部１４がそれぞれ検出し易いレベルに増幅するためのものである。
【００３３】
方向検出部１１は、ＣＰＵ１５と共働して、ピックアップ手段６がレコード盤２からピックアップしたアナログ信号の左チャンネルと右チャンネルとの位相差に基づいき、そのアナログ信号をピックアップした際のレコード盤２が回転する方向を検出するためのものである。
【００３４】
移動量検出部１２は、ＣＰＵ１５と共働して、ピックアップ手段６からのアナログ信号をカウントして得たパルス数に基づき、ピックアップ手段６がレコード盤２からアナログ信号をピックアップしている際のレコード盤２が回転して移動した量を検出するためのものである。
【００３５】
速さ検出部１３は、ＣＰＵ１５と共働して、ピックアップ手段６がレコード盤２からピックアップしたアナログ信号のパルス数のカウント結果を微分し、アナログ信号をピックアップする際の速さ、つまり、ピックアップ手段６がレコード盤２からアナログ信号を読取っている時のレコード盤２の回転する速さを検出するためのものである。
【００３６】
タイムコード検出部１４は、ＣＰＵ１５と共働して、ピックアップ手段６からのアナログ信号に基づき、ピックアップ手段６がレコード盤２からアナログ信号をピックアップしている際のピックアップ手段６がレコード盤２からアナログ信号を読取った部位の位置に対応する絶対時間を検出するためのものである。
【００３７】
ＣＤプレーヤ手段１８は、ＣＤを載置して回転駆動し回転駆動手段１６、回転駆動手段１６に載置して回転駆動されているＣＤつまり演奏中のＣＤからディジタルの音声信号をピックアップするピックアップ手段１７等を有して構成されている。
ＣＤプレーヤ手段１８は、ピックアップ手段１７がＣＤから上記音声信号と共に再生演奏がされている対応部分の絶対時間（ＣＤの一曲目からの位置時間）を示す信号をピックアップする構成になっている。
【００３８】
ＲＦアンプ１９は、ＣＤプレーヤ手段１８から演奏中のＣＤからの再生信号（ディジタルの音声信号）を入力すると、後段でデコードが可能になるレベルにまで増幅して、デコーダ２０に出力するものである。
デコーダ２０は、ＲＦアンプ１９で適切なレベルに増幅された信号を入力し、そのエンコードされている信号を元の状態に復調し、タイムデータに関してはＣＰＵ１５に、音声信号に関してはＤＳＰ２１にそれぞれ出力するものである。
【００３９】
ＤＳＰ２１は、デコーダ２０から音声信号に関する信号（ディジタルデータ）を受けて、メモリ２２に送って格納させるものである。
この際、ＤＳＰ２１は、ディジタル音声信号に係るディジタルデータを、ＣＰＵ１５が入力するタイムデータと対応するようにメモリ２２に格納するものである。
【００４０】
又、ＤＳＰ２１は、通常演奏時であるレコード盤２の回転に外力を加えない状態の演奏の際には、ＣＰＵ１５の制御信号に基づいて、結果的にメモリ２２に格納されている音声信号を格納した順序で読み出してＤ−Ａ変換部２３に送る構成になっている。
つまり、ＤＳＰ２１はＣＰＵ１５の制御信号に基づき、レコード盤２でアナログ信号がピックアップされる部位に対応するフレーム、再生方向及び再生速さの制御がなされたディジタル音声信号を、Ｄ−Ａ変換部２３を介して結果的にアナログ音声信号として出力させるためのものである。
ここで、Ｄ−Ａ変換部２３は、メモリ２２に格納されているディジタルの音声信号をアナログ信号に変換して出力するものである。
【００４１】
オーディオ装置１の本体の前部に、ディジタルオーディオ再生手段５の操作部２４が配設されている。
操作部２４の正面中央に、演奏対象のＣＤをスロットインさせて回転駆動手段１６に載置させるため及び演奏終了後のＣＤをスロットアウトさせるための開口部２５が開設されている。
【００４２】
ディジタルオーディオ再生手段５の操作部２４には、演奏が行われるとつまりＣＤ再生手段１８がＣＤを演奏するとその演奏で出力されている音声についての情報を表示する表示パネル２７が設けられている。
オーディオ装置１の本体の側部に、ディジタルオーディオ再生手段５で得られたアナログ音声信号を外部に出力するための出力端子２６が配設されている。
【００４３】
ディジタルオーディオ再生手段５は更に、レコード盤２からのアナログ信号に対して、ＣＤ再生手段１８によって再生されたディジタル式の記録媒体からの音声信号の頭出しの位置を任意に設定するための頭出し設定手段２８が備えられている。
頭出し設定手段２８は、演奏者がＣＤの頭出し位置を設定するための入力部２９と、ＣＰＵ１５と、表示パネル２７及びＤＳＰ２１から主に構成されている。
【００４４】
レコード盤２を通常に演奏すると（ノーマル対応）、ＣＤは１曲目の音声から対応して制御されて出力される。
これに対して、頭出し設定手段２８は、操作部２４に配設された入力部２９で演奏者がＣＤの頭出し位置を設定すると、その設定した位置に対応するＣＤの音声信号を頭出し位置として出力させるものである。
【００４５】
つまり、頭出し設定手段２８は、レコード盤２からのアナログ信号の演奏の位置に対してＣＤからの音声信号の出力の位置と異なる位置を音声信号の頭出しの位置として音声信号を出力させる際、そのＣＤからの音声信号の異なる出力の位置以降からタイムデータがアナログ信号の演奏の位置に対応付くように制御されて音声信号を出力するように構成されている。
【００４６】
頭出し設定手段２８はより具体的には、オーディオ装置１でレコード盤２の演奏されるとＣＤからのディジタルデータが再生されてメモリ２２に格納されている音声信号が対応して出力される。が、演奏者が演奏開始から時間ｔ１の時間位置でＣＤからの音声信号がｋ番目の曲である時間ｔ２の位置から対応して出力するように入力部２９を操作を行なうと、レコード盤２からは時間位置がｔ１以降のアナログ信号が出力されるが、ＤＳＰ２１によってメモリ２２からは時間位置がｔ２以降の音声信号が対応付けられて読み出されて出力されるものである。
【００４７】
頭出し設定手段２８において、入力部２９は操作部２４に配設されており、その時の曲に対してそれ以降の後方に位置する曲を選定するネクストの機能の出力とその時の曲に対して既に演奏の終えた前方に位置する曲を選定するプレビアスの機能の出力をＣＰＵ１５に指示するためのものである。
【００４８】
そうして、入力部２９を操作して頭出し設定手段２８を作用させると、ＣＰＵ１５は入力部２９からの頭出しすべきＣＤの曲或いは演奏の時間位置と現在の時間位置との差を算出して、それら二つの時間位置の差を埋めた内容の制御信号をＤＳＰ２１に出力する。
ここで、ＤＳＰ２１は、ＣＰＵ１５からの制御信号を設定手段２８が作用していないと同じ状態の制御信号と受取り、所定の作用を行なう。
【００４９】
オーディオ装置１の全体構成及び各部は、上述したように構成されている。
以下において、図面に基づいて、オーディオ装置１の動作を詳述する。
【００５０】
演奏者はまず最初にオーディオ装置１に電源を入れ、続いて、レコードプレーヤ装置３にレコード盤２を載置すると共にディジタルオーディオ再生手段５の開口部２５から演奏したいＣＤをスロットインさせ、レコードプレーヤ装置３及びディタルオーディオ再生手段５を作動させる。
ここで、レコードプレーヤ装置３はピックアップ手段６がレコード盤２と相対的に摺動してレコード盤２にカットされたアナログ信号をピックアップし、そのアナログ信号をアンプ１０に送る。
アンプ１０は、ピックアップ手段６からのアナログ信号を入力すると、方向検出部１１と、移動量検出部１２と、速さ検出部１３及びタイムコード検出部１４がそれぞれ検出し易いレベルに増幅して検出手段４に送る。
【００５１】
検出手段４は、アンプ１０からのアナログ信号を入力すると、方向検出部１１がレコード盤２にカットされて記録された二つのチャンネルの信号位相差に基づいてレコード盤２の回転方向を検出する。
移動量検出部１２は、前記二つのチャンネルから単位時間当りに入力される単信号のパルス数を算出する。尚、ＣＰＵ１５は、この情報量に基づいて、ディジタルオーディオ再生手段５が再生したフレームに割り付けて移動量を算出する。
【００５２】
速さ検出部１３は、移動量検出部１２で得られた移動量を微分することによって、移動の速さつまりレコード盤２の角速度を検出する。尚、二つのチャネルから入力されるパルスの周期を測定することによって速さを検出する方法も知られており、その方法を用いてもよい。
タイムコード検出部１４は、振幅変調された正弦波をレベルコンパレータ（図示省略）によってディジタル信号に変換し、且つ、複数個の比較レベルのコンパレータを通過させるが、その際に複数個の比較レベルのコンパレータを通すことになるが、そのことにピックアップ手段６の位置を示すタイムデータは、結果的にタイムデータを意味する同期式シリアル信号に変換されてＣＰＵ１５に送られることになる。
【００５３】
他方、この時のディジタルオーディオ再生手段５では、ＣＤプレーヤ手段１８が回転駆動手段１６に回転されている前記ＣＤからピックアップ手段１７によってエンコードされて記録された前記ＣＤのディジタルデータがＲＦ信号としてピックアップされる。
ＣＤプレーヤ手段１８によってピックアップされた前記ＲＦ信号のディジタルデータは、デコーダ２０によってエンコードする前のディジタルデータに変換され、ＣＰＵ１５にタイムデータが、ＤＰＳ２１に音声信号がそれぞれ送られる。
【００５４】
ディジタルオーディオ再生手段５は更に、ＣＤに記録されているＴＯＣ情報を読取ってから、一曲目の曲頭をサーチし、ピックアップ手段１７をその位置に対応付けるように移動させる。
ＣＰＵ１５は、デコーダ２０から入力されるタイムデータに基づいてピックアップ手段１７の読取り位置を監視し、移動を終了した時点でＤＳＰ２１に音声信号の格納をメモリ２２に対して行い、検出部４で得られているレコード盤２の回転方向である演奏の方向、移動量（演奏量）、演奏の速さを算出する。
ＣＰＵ１５は更にその算出結果に従って、ＤＳＰ２１がメモリ２２から前記格納の音声信号を読み出してＤ−Ａ変換部２３に送るように制御信号を出力する。
【００５５】
ＣＰＵ１５は、ＤＳＰ２１がＣＰＵ１５からの前記制御信号に基づいてピックアップ手段６の針がレコード盤２上で演奏してアナログ信号をピックアップしている部位の位置に対応するＣＤの部位（フレーム）の音声信号を受信したか否かを判断する。
ここで、ＣＰＵ１５は、ＤＳＰ２１がレコード盤２の演奏の部位に対応してＣＤの部位（フレーム）の音声信号を受け取っていないと判断すると、レコード盤２の演奏の部位とこれに対応するＣＤの部位（フレーム）の音声信号を一致させるように制御する。
この時、メモリ２２から呼び出される音声信号は、ＤＳＰ２１を介してＤ−Ａ変換部２３に出力されることになる。
他方、ＣＰＵ１５が、ＤＳＰ２１がレコード盤２の演奏の部位に対応してＣＤの部位（フレーム）の音声信号を受け取っていると判断すると、ＤＳＰ２１はＣＰＵ１５の制御信号に基づき、その時のＣＤの演奏部位（フレーム）をレコード盤２の演奏の部位と対応するようにアドレスを変更する。
ここで、レコード盤２の演奏の部位の位置と、メモリ２２から出力される音声のフレームつまりアドレスは互いに対応することになる。
【００５６】
Ｄ−Ａ変換部２３は、そのディジタル信号の音声信号をアナログ信号の音声信号に変換して出力端子２６に送る。
ここで、出力端子２６はアナログの音声信号を後段に送るが、後段では増幅等の音声加工が行われた後に、音声信号は結果的に音声となってスピーカ（図示省略）から出力される。
この際、前記スピーカから出力される音声つまりＣＤの再生音声は、レコード盤２がレコードプレーヤ装置３によって演奏されている方向と速さに対応しており、つまり、ＣＤを通常の演奏の方向で且つ通常の演奏速さの再生音声になっている。
上述した演奏では、レコードプレーヤ装置３はピックアップ手段６がレコード盤２の最外周のスタートの位置から演奏制御となる情報をピックアップし、ＣＤ再生手段１８はＣＤを一曲目の最初から演奏を行っている（ノーマル演奏）。
【００５７】
然るに、レコード盤２のスクラッチ演奏を行わないノーマル演奏の時間長さは２０分であるのに対してＣＤのノーマル演奏の時間長さは７４分であるので、このまま演奏を続けていくと、レコード盤２はノーマル演奏の時間長さで２０分間の演奏分だけＣＤの演奏の制御を行うことが可能になっている。
しかし、２０分以降はレコード盤２がそれ以上の演奏を行なえない、つまり、制御のための信号を出力しないからＣＤにノーマル演奏の時間長さで２０分以降の演奏の制御を行うことができないことになる。
【００５８】
オーディオ装置１は、ＣＤの２０分以降の演奏を制御できないという斯かる問題に対して、以下の通りの対応が可能になっている。
つまり、演奏者がスタート時からレコード盤２によってＣＤからの音声出力を制御し、スタート時からレコード盤２を、ｍ分目まで例えば７分間だけ演奏を行なう。この間、レコード盤２にスクラッチ演奏が行なわれても、ＣＤからの音声出力はレコード盤２からの再生信号である制御信号に基づいて制御される。
【００５９】
ここで、演奏者が、頭出し設定手段２８のネクストの機能によってノーマル演奏では最初の曲（スタートの位置である一曲目）からｎ分目、例えば時間位置が３２分目に位置するｋ番目の曲のＣＤからの音声が演奏されるように入力部２９を操作する。
ＣＰＵ１５は、入力部２９からの制御信号を受けると、レコード盤２からの７分間の演奏以降とＣＤの３２分目以降が対応付くものであって、その３２分目以降の曲であるｋ番目の曲から読み出して始まるようにＤＳＰ２１に制御信号を送る（曲の設定）。
【００６０】
ＣＰＵ１５はこれと共に、ｋ番目の曲が演奏されることに基づいて、ｋ番目の曲の演奏についての情報を表示パネル２７に送る。
表示パネル２７は、ＣＰＵ１５からの信号に基づいて、ｋ番目の曲の演奏についての情報を表示する。
ここで、演奏者は、表示パネル２７の表示内容から、ｋ番目の曲が演奏されることを確認できることになる。
【００６１】
他方、ＤＳＰ２１は、ＣＰＵ１５からの制御信号を受けて、ＣＤの始めからｋ番目の曲を頭出し位置として再生された音声信号をメモリ２２から読み出してＤ−Ａ変換器２３に送る。
ここで、Ｄ−Ａ変換器２３は、メモリ２２からのディジタルの音声信号をアナログ信号に変換して出力端子２６に送る。出力端子２６は、前記アナログの音声信号をスピーカの側に送り、そのスピーカは音声信号を音声として出力する。
【００６２】
この時、ＤＳＰ２１のメモリ２２からの音声信号の読み出し機能がレコードプレーヤ装置３のピックアップ手段６からの信号に基づいて行なわれているから、前記スピーカからの音声の出力の仕方、つまり、音声の速さ、方向、飛越し（針飛びを含む）等は、ピックアップ手段６がレコード盤２からの前述した演奏に係る制御信号に基づいて行われている。
又、この時、ＣＰＵ１５は頭出し位置としたＣＤの始めからｋ番目の曲に係る音声信号の出力開始の位置がノーマル演奏の時間長さで３２分目であるが、この時点をタイムデータのスタートの位置つまり７分目以降としてレコード盤２のタイムデータに相対的に対応付けて、ＤＳＰ２１に制御信号を送る。
【００６３】
ＣＤからの音声信号は、ｋ番目の曲を頭出し設定手段２８のネクストの機能を作用させた以降のスタート曲として、レコード盤の演奏時間から既に演奏を終えた時間の差であってノーマル演奏の時間長さでは２０分−７分＝１３分だけ出力される。つまり、ＣＤはｋ番目の曲であるスタートから３２分目を頭出し設定手段２８のネクストの操作以後の頭出し位置としてスタートするから、ＣＤは最初からノーマル演奏の時間長さで３２分＋１３分＝４５分目の位置までの音楽信号が出力（演奏）されることになる。
【００６４】
演奏者が同様に、スタート時からノーマル演奏の時間長さで３分間だけ既に演奏を行った後に、頭出し設定手段２８のネクストの機能によってノーマル演奏で最初の曲（スタートの位置である一曲目）から６５分目に位置するｋ番目の曲のＣＤからの音声が演奏されるように入力部２９を操作する。
ＣＰＵ１５は、入力部２９からの制御信号を受けると、ＤＳＰ２１に頭出しがｋ番目の曲から始まるように制御信号を送ると共に（曲の設定）、ｋ番目の曲が演奏されることに基づいてｋ番目の曲の演奏についての情報を表示パネル２７に送る。表示パネル２７は、ＣＰＵ１５からの信号に基づいて、ｋ番目の曲の演奏についての情報を表示する。
ここで、演奏者は、表示パネル２７の表示内容から、ｋ番目の曲が演奏されることを確認できることになる。
【００６５】
ＤＳＰ２１はＣＰＵ１５からの制御信号を受けて、ＣＤの始めからｋ番目の曲、ノーマル演奏の時間長さでスタートから６５分目を頭出し位置として、再生された音声信号をメモリ２２から読み出してＤ−Ａ変換器２３に送り、Ｄ−Ａ変換器２３はメモリ２２からのディジタルの音声信号をアナログ信号に変換して出力端子２６に送る。出力端子２６は、前記アナログの音声信号をスピーカの側に送り、そのスピーカは音声信号を音声として出力する。
【００６６】
この時、ＤＳＰ２１のメモリ２２からの音声信号の読み出し機能がレコードプレーヤ装置３のピックアップ手段６からの信号に基づいて行なわれているから、前記スピーカからの音声の出力の仕方、つまり、音声の速さ、方向、飛越し等は、ピックアップ手段６がレコード盤２からの前述した演奏に係る制御信号に基づいて行われている。
又、この時、ＣＰＵ１５は頭出し位置としたＣＤの始めからｋ番目の曲に係る音声信号の開始の位置が６５分であるが、タイムデータをＣＤのノーマル演奏の時間長さで６５分目を３分目以降に置き換えてレコード盤２のタイムデータに相対的に対応付けて、ＤＳＰ２１に制御信号を送る。
【００６７】
ＣＤからの音声信号は、レコード盤２からの演奏信号である制御信号に基づいてメモリ２２から読み出されるが、レコード盤２はｋ番目の曲以前はノーマル演奏の時間長さで３分間だけ既に演奏を行なっているので、ノーマル演奏の時間長さで２０分−３分＝１７分の時間だけ演奏が可能である。
他方、ＣＤ演奏の末尾までの時間長さが７４分であることより、ｋ番目の曲からＣＤ演奏の末尾まではノーマル演奏の時間長さで７４分−６５分＝９分の演奏の音声信号が残っているだけである。
つまり、レコード盤２がノーマル演奏の時間長さで１７分−９分＝８分だけ長く演奏可能になっている。
【００６８】
然るに、演奏者が頭出し設定手段２８のネクストの機能を作用させようと入力部２９を操作すると、ＣＰＵ１５は入力部２９からの操作内容を入力すると、レコード盤２からのアナログ信号がＣＤからの音声信号の出力範囲である９分を超えてそれより更に８分だけ長い時間出力されると判断し、そのレコード盤２の演奏可能な８分に対してＣＤのスタートの位置に係る音声信号を対応して出力するようにＤＳＰ２１に制御信号を送る。
【００６９】
従って、オーディオ装置１は、レコード盤２からのアナログ信号がＣＤからの音声信号の出力範囲を超えて出力される際は、その出力範囲を超えた分の時間長さつまり前記アナログ信号の演奏可能な時間のうちで既に演奏した時間の残り時間である余りの演奏時間については、ＣＤ（記録媒体）のスタートの位置に係る音声信号が連続してレコード盤２からのアナログ信号に対応付けられ出力されるから、レコード盤２の演奏信号（制御信号）が有効に使われて、長い演奏時間が確保されている。
【００７０】
他方、以下において、ＣＤの音声信号のうちその演奏の時点より以前に位置する曲を読み出して出力する頭出し設定手段２８のプレビアスの機能を説明する。
演奏者がスタート時からレコード盤２によってＣＤからの音声出力を制御し、スタート時からレコード盤２を、ｍ分目まで例えば１３分間だけ演奏を行なう。この間、レコード盤２にスクラッチ演奏が行なわれても、ＣＤからの音声出力はレコード盤２からの再生信号である制御信号に基づいて制御される。
【００７１】
ここで、演奏者が、頭出し設定手段２８のプレビアスの機能によってノーマル演奏では最初の曲（スタートの位置である一曲目）からｎ分目例えば６分目に位置するｋ番目の曲のＣＤからの音声が演奏されるように入力部２９を操作する。
ＣＰＵ１５は、入力部２９からの制御信号を受けると、ＤＳＰ２１に頭出しがｋ番目の曲から始まるように制御信号を送る（曲の設定）。
【００７２】
ＣＰＵ１５はこれと共に、ｋ番目の曲が演奏されることに基づいて、ｋ番目の曲の演奏についての情報を表示パネル２７に送る。
表示パネル２７は、ＣＰＵ１５からの信号に基づいて、ｋ番目の曲の演奏についての情報を表示する。
ここで、演奏者は、表示パネル２７の表示内容から、ｋ番目の曲が演奏されることを確認できることになる。
【００７３】
他方、ＤＳＰ２１は、ＣＰＵ１５からの制御信号を受けて、ＣＤの始めからｋ番目の曲を頭出し位置として再生された音声信号をメモリ２２から読み出してＤ−Ａ変換器２３に送る。
ここで、Ｄ−Ａ変換器２３は、メモリ２２からのディジタルの音声信号をアナログ信号に変換して出力端子２６に送る。出力端子２６は、前記アナログの音声信号をスピーカの側に送り、そのスピーカは音声信号を音声として出力する。
【００７４】
この時、ＤＳＰ２１のメモリ２２からの音声信号の読み出し機能がレコードプレーヤ装置３のピックアップ手段６からの信号に基づいて行なわれているから、前記スピーカからの音声の出力の仕方、つまり、音声の速さ、方向、飛越し等は、ピックアップ手段６がレコード盤２からの前述した演奏に係る制御信号に基づいて行われている。
又、この時、ＣＰＵ１５は頭出し位置としたＣＤの始めからｋ番目の曲に係る音声信号の出力開始の位置がノーマル演奏の時間長さで６分目であるが、この時点をタイムデータのスタートの位置つまり１３分目以降としてレコード盤２のタイムデータに相対的に対応付けて、ＤＳＰ２１に制御信号を送る。
【００７５】
ＣＤからの音声信号は、ｋ番目の曲を頭出し設定手段２８のプレビアスの機能を作用させた以降のスタート曲として、レコード盤の演奏時間から既に演奏を終えた時間の差であってノーマル演奏の時間長さでは２０分−１３分＝７分だけ出力される。つまり、ＣＤはｋ番目の曲であるスタートから６分目を頭出し設定手段２８のプレビアスの操作以後の頭出し位置としてスタートするから、ＣＤは最初からノーマル演奏の時間長さで６分＋７分＝１３分目の位置までの音声信号が出力（演奏）されることになる。
【００７６】
演奏者が同様に、スタート時からノーマル演奏の時間長さで４分間だけ既に演奏を行った後に、頭出し設定手段２８のプレビアスの機能を作用させる。
この場合、頭出し設定手段２８のプレビアスで指定するｋ番目の曲として１曲目以降の曲は、任意に設定が可能である。そうして、ＣＰＵ１５はその設定に対応してＤＳＰ２１に制御信号を送って、設定に対応した曲を頭出しの曲としてメモリ２２から音声信号を読み出して出力させる。
【００７７】
他方、レコード盤５はノーマル演奏の時間長さは２０分であって且つノーマル演奏の時間長さで４分間だけ既に演奏をしているから、ノーマル演奏の時間長さで２０分−４分＝１６分だけ演奏（ＣＤデータの出力の制御）が可能である。
このレコード盤２の演奏時間をより多く活用したいということについては、演奏者は頭出し設定手段２８のプレビアスの機能を作用させる際にＣＤの１曲目（スタートの曲）よりも更に前に位置するように入力部２９を操作して設定する。
【００７８】
ここで、ＣＰＵ１５は入力部２９からＣＤの１曲目（スタートの曲）よりも更に前に位置する曲からスタートする旨の信号を受けると、ノーマル演奏の時間長さで一曲目から現在の演奏時までが４分であって且つレコード盤２の残りのノーマル演奏の時間長さが２０分−４分＝１６分であることより、１６分−４分＝１２分だけ一曲目より先の音声信号を制御可能であることを演算し、その分のノーマル演奏の時間長さの１２分をＣＤの最終から遡って対応付ける。
【００７９】
つまり、ＣＤの音声信号の最終時点の７４分−１２分＝６２分以降を頭出し設定手段２８のプレビアスの機能後の再スタートの位置として、ＣＰＵ１５はＤＳＰ２１に頭出しが６２分目の曲であるように制御信号を送ると共に（曲の設定）、６２分目から始まる曲が演奏されることに基づいてその曲の演奏についての情報を表示パネル２７に送る。表示パネル２７は、ＣＰＵ１５からの信号に基づいて、その曲の演奏についての情報を表示する。
ここで、演奏者は、表示パネル２７の表示内容から、６２分目からの曲が演奏されることを確認できることになる。
【００８０】
ＤＳＰ２１はＣＰＵ１５からの制御信号を受けて、ＣＤの始め（スタート）からノーマル演奏の時間長さで６２分目の曲を再頭出し位置として、再生された音声信号をメモリ２２から読み出してＤ−Ａ変換器２３に送り、Ｄ−Ａ変換器２３はメモリ２２からのディジタルの音声信号をアナログ信号に変換して出力端子２６に送る。
出力端子２６は、前記アナログの音声信号をスピーカの側に送り、そのスピーカは音声信号を音声として出力する。
【００８１】
この時、ＤＳＰ２１のメモリ２２からの音声信号の読み出し機能がレコードプレーヤ装置３のピックアップ手段６からの信号に基づいて行なわれているから、前記スピーカからの音声の出力の仕方、つまり、音声の速さ、方向、飛越し等は、ピックアップ手段６がレコード盤２からの前述した演奏に係る制御信号に基づいて行われている。
又、この時、ＣＰＵ１５は頭出し位置としたＣＤの始めからｋ番目の曲に係る音声信号の開始の位置が６５分であるが、タイムデータをＣＤのノーマル演奏の時間長さで６２分目を４分目以降に置き換えてレコード盤２のタイムデータに相対的に対応付けて、ＤＳＰ２１に制御信号を送る。
【００８２】
又、この場合、ＣＤからの音声信号はレコード盤２からの演奏信号である制御信号に基づいてメモリ２２から読み出されるが、レコード盤２は頭出し設定手段２８のプレビアスの機能を作用させる前にノーマル演奏の時間長さで４分間だけ既に演奏を行なっているので、ノーマル演奏の時間長さで２０分−４分＝１６分の時間だけ演奏（制御）が可能である。
他方、ＣＤ演奏の末尾までの時間長さが７４分であることより、６２分目の曲からＣＤ演奏の末尾まではノーマル演奏の時間長さで７４分−６２分＝１２分の演奏の音声信号が残っているだけである。
【００８３】
つまり、レコード盤２がノーマル演奏の時間長さで１７分−１２分＝５分だけ長く演奏可能になっている。
然るに、演奏が進んでノーマル演奏の時間長さで１２分だけ経過するとＣＤからの音声信号はエンドとなるが、ＣＰＵ１５は、斯かる状態に対してレコード盤２の演奏（制御信号の出力）を活用するように、ＤＳＰ２１にＣＤのスタートの位置に斯かる音声信号つまり一曲目からの音声信号を出力するように制御信号を出力する。
【００８４】
従って、オーディオ装置１は、頭出し設定手段２８のプレビアスの機能を作用させてレコード盤２からのアナログ信号がＣＤからの音声信号の前方側の出力範囲及び後方側の出力範囲を超えて出力される際に、その出力範囲を超えた分の時間長さつまり前記アナログ信号の演奏可能な時間のうちで既に演奏した時間の残り時間である余りの演奏時間については、それぞれＣＤのエンド側から遡り部分に斯かる音声信号及び一曲目の位置に係る音声信号が連続してレコード盤２からのアナログ信号に対応付けられ出力されるから、レコード盤２の演奏信号（制御信号）が有効に使われて、長い演奏時間が確保されている。
【００８５】
オーディオ装置１は、頭出し設定手段２８のネクストの機能及びプレビアスの機能はそれぞれ上述した通りに作用するが、レコード盤２の演奏つまりＣＤからの音声信号の出力の制御が可能な状態においては、頭出し設定手段２８のネクストの機能及びプレビアスの機能を所望により組合わせて使用することが可能である。
【００８６】
オーディオ装置１は、頭出し設定手段２８のネクストの機能は上述した通りであるが、演奏開始の時点で頭出し設定手段２８のネクストの機能を作用させることで、ＣＤのスタート時の一曲目ではない途中の曲に係る音声信号から出力をさせることが可能である。
【００８７】
オーディオ装置１は、上述した頭出し設定手段２８のネクストの機能及びプレビアスの機能は共に時間で切って作用させているが、曲の切れ目で頭出し設定手段２８のネクストの機能及びプレビアスの機能を作用させる構成であってもよい。
斯かる構成であっても、頭出し設定手段２８の機能させると、その機能させた時点以降のレコード盤２からのアナログ信号に新たな頭出しされた音声信号が対応付くことになる。
【００８８】
オーディオ装置１は、レコード盤２の演奏時間に対応せずに超えた範囲に位置する音声信号を演奏（出力）させたい場合、頭出し設定手段２８のネクストの機能及びプレビアスの機能のいずれを作用させてもよい。
【００８９】
オーディオ装置１は、再生する対象のディジタル式の記録媒体としてＣＤを揚げているが、この他に、ＭＤやフラッシュメモリー等であってもよい。
又、オーディオ装置１はディジタル式の記録媒体としてＣＤを揚げていて再生されるディジタルデータは音声信号にのみ関わるものとなっているが、記録媒体から再生されるディジタルデータは音声に加えて動画が対応して出力されるものであっても本発明は対応が可能である。
【００９０】
オーディオ装置１では、記録媒体のＣＤの演奏時間がレコード盤２より長いが、ＣＤ以外のディジタル式の記録媒体で演奏時間がレコード盤２よりも短い場合であっても、レコード盤２がその記録媒体を超えた範囲の演奏時間（制御可能な時間）であっても、頭出し設定手段２８のネクストの機能及びプレビアスの機能を作用させることができる。
【００９１】
ディジタルオーディオ再生システムであるオーディオ装置１は、レコードプレーヤ装置３とディジタルオーディオ再生手段５が一体となった構成であるが、それぞれ個別とした構成であってもよい。
【００９２】
オーディオ装置１は、表示パネル２７にその時に出力されている音声についての情報が表示されるが、これに加えてタイムデータを表示する構成であってもよい。
斯かる構成によって、演奏者は出力されている音声についての情報及びタイムデータに基づいたスクラッチ演奏を行うことが可能になる。
【図面の簡単な説明】
【００９３】
【図１】本発明の実施の一形態例のディジタルオーディオ再生システムの電気的な構成を示す機能ブロック図である。
【図２】図１に示す実施の形態例のディジタルオーディオ再生システムの構成を示す斜視図である。
【図３】図１に示す実施の形態例のディジタルオーディオ再生システムにおいて、レコード盤からのアナログ信号の波形の形状を示す構成説明図である。
【符号の説明】
【００９４】
１：    ディジタルオーディオ再生システムとしてのオーディオ装置
２：    レコード盤
３：    レコードプレーヤ装置
４：    検出手段
５：    ディジタルオーディオ再生装置としての再生手段
６：    ピックアップ手段
１５：  ＣＰＵ
１８：  ＣＤプレーヤ手段
２１：  ＤＳＰ
２８：  頭出し設定手段
２９：  入力部
【図１】
2005174439.tif 000003
【図２】
2005174439.tif 000004
【図３】
2005174439.tif 000005